(57)【要約】【課題】  容易に除菌処理することが可能な電子機器を提供することを目的とする。【解決手段】  電源ＯＦＦ状態とする。次にバックライトボタン９が押されたか否かを判断する。バックライトボタン９が押され、表示部３が閉じ位置にあることを確認し、バックライト７ａを点灯し除菌モードを開始する。バックライト７ａが点灯されるとバックライト７ａからの光は液晶表示装置７のガラスを貫通し、対向している本体２の上面５、キーボード４、ポインティングデバイス６に照射される。上面５、キーボード４、ポインティングデバイス６のそれぞれには光触媒がコーティングされており、バックライト７ａからの光に反応して除菌が行われる。【選択図】  図３
2005339292.tif 000002
【特許請求の範囲】
【請求項１】
光触媒コーティングされたキーボードを有する本体と、
上記キーボードを覆う閉じ位置と、上記キーボードを露出する開き位置との間で回動可能に上記本体に結合されるとともに、バックライトを有した液晶表示装置が内蔵される表示部と、
上記表示部が上記閉じ位置にあり、上記本体の電源がオフされている状態で上記バックライトを点灯する手段と、
を具備することを特徴とする電子機器。
【請求項２】
上記表示部には、上記本体の電源オフされている状態で上記バックライトのオンオフを切り替える操作部が設けられていることを特徴とする請求項１記載の電子機器。
【請求項３】
上記バックライト点灯手段は所定時間経過後に上記バックライトをオフすることを特徴とする請求項１記載の電子機器。
【請求項４】
光触媒コーティングされたキーボードを有する本体と、
上記キーボードを覆う閉じ位置と、上記キーボードを露出する開き位置との間で回動可能に上記本体に結合されるとともに、バックライトを有した液晶表示装置が内蔵される表示部と、
上記本体の電源をオフする電源オフ手段と、
上記電源オフ手段により上記本体電源オフされているとき、上記表示部が上記閉じ位置にあることを検出する検出手段と、
上記検出手段が、上記表示部が上記閉じ位置に位置することを検出したとき上記バックライトを点灯する点灯手段と、
を具備することを特徴とする電子機器。
【請求項５】
上記点灯手段により点灯されたバックライトの点灯時間を計時する計時手段と、
上記計時手段により掲示された時間が所定時間経過後に上記バックライトをオフする手段と、
を具備することを特徴とする請求項4記載の電子機器。
【発明の詳細な説明】
【技術分野】
【０００１】
本発明は、ノート型コンピュータ等の電子機器に係り、特に電子機器のデータ入力装置の除菌処理に関する。
【背景技術】
【０００２】
従来、ノート型コンピュータ等の電子機器に抗菌剤を用いることで清潔性を向上するものがある。特にコンピュータ等の電子機器においては不特定多数のユーザが指等で触れる部分たとえばキーボードのキーや、筐体上面(パームレスト部等)に抗菌剤を設けることが考えられる（特許文献１参照）。
【０００３】
さらには、未使用時にはキーボードやマウスをコンピュータ本体の収容部へ収容し、殺菌灯により除菌システムが考えられている(特許文献２参照)
【特許文献１】特開平９−１９０２５４号（図１）
【特許文献２】特開平７−１６０３６２号（段落番号００１１、図１）
【発明の開示】
【発明が解決しようとする課題】
【０００４】
特許文献１にて開示されているように抗菌剤を設けるだけではその抗菌力の持続性に疑問がある。さらに特許文献２に開示されているように殺菌時はキーボードやマウス等を除菌専用の収容部に収容する作業が発生し、ユーザにとって手間である。
【０００５】
そこで本発明は、ユーザが意識することなく除菌処理を行う電子機器の提供を目的とする。
【課題を解決するための手段】
【０００６】
上記目的を達成するために、請求項１に係る電子機器は、光触媒コーティングされたキーボードを有する本体と、キーボードを覆う閉じ位置と、キーボードを露出する開き位置との間で回動可能に本体に結合されるとともに、バックライトを有した液晶表示装置が内蔵される表示部と、表示部が閉じ位置にあり、本体の電源がオフされている状態でバックライトを点灯する手段とを有することを特徴とする。
【０００７】
請求項４に記載の電子機器は、光触媒コーティングされたキーボードを有する本体と、キーボードを覆う閉じ位置と、キーボードを露出する開き位置との間で回動可能に本体に結合されるとともに、バックライトを有した液晶表示装置が内蔵される表示部と、本体の電源をオフする電源オフ手段と、電源オフ手段により本体電源オフされているとき、表示部が閉じ位置にあることを検出する検出手段と、検出手段が、表示部が閉じ位置に位置することを検出したときバックライトを点灯する点灯手段と、を具備することを特徴とする
【発明の効果】
【０００８】
以上詳述した発明によれば、電子機器を容易に除菌処理することが可能である。
【発明を実施するための最良の形態】
【０００９】
以下本発明に係る実施の形態を、図面を参照して説明する。図１は、電子機器の斜視図である。図２は、電子機器の表示部を閉じた状態を示す図である。
【００１０】
図１に示すようにノート型コンピュータ１は本体２とこの本体２に回動可能に結合される表示部３を有している。本体２の上面５にはキーボード４が設けられている本体２の上面５にはポインティングデバイス６が設けられている。上面５はパームレストとして機能する。さらに本体２の上面５にはコンピュータ１の電源をオンオフする電源ボタンが設けられている。
【００１１】
キーボード４、ポインティングデバイス６、上面５は光触媒コーティングが成されている。
【００１２】
表示部３には液晶表示装置７が内蔵されている。液晶表示装置７には液晶表示装置に照射するバックライト７ａが内蔵されている。表示装置３はキーボード４、ポインティングデバイス６、上面５を覆う閉じ位置と、これらを露出する開き位置との間で回動可能である。
【００１３】
図２に示すように本体２の前端部には本体の各種状態を示すＬＥＤが複数設けられている。表示部３の筐体背面には、コンピュータの電源がオフされ、表示部３が閉じ位置にあるときに機能するバックライトボタン９が設けられる。バックライト７ａボタンがオンされると、バックライト７ａの電源がオンされ、バックライト７ａから照射される光は液晶表示装置を通過して、対向するキーボード４、ポインティングデバイス６や上面５に照射されることになる。
【００１４】
図３は、バックライト７ａボタンによる除菌処理を示すフローチャートである。ユーザが電源ボタン１０またはソフトウェアによるコンピュータの電源オフ処理を行い電源ＯＦＦ状態とする（Ｓ１）。次にバックライトボタン９が押されたか否かを判断する（Ｓ２）。ユーザがバックライトボタン９を押していない場合は通常の電源ＯＦＦ状態になる。ユーザがバックライトボタン９を押した場合は、表示部３が閉じ位置にあるか否かを判断する（Ｓ３）、ユーザがバックライトボタン９を押しても表示部が開き位置にあるときはバックライト７ａは点灯しないようにし、通常の電源ＯＦＦ状態になる。このときの判断により表示部３の開き状態での無意味なバックライト７ａ点灯を防止することができる。Ｓ３の判断により表示装置３が閉じ位置にある場合はバックライト７ａを点灯し除菌モードを開始する（Ｓ４）。バックライト７ａが点灯されるとバックライト７ａからの光は液晶表示装置７のガラス面を貫通し、対向している本体２の上面５、キーボード４、ポインティングデバイス６に照射される。上面５、キーボード４、ポインティングデバイス６のそれぞれには光触媒がコーティングされており、バックライト７ａからの光に反応して除菌が行われる。
【００１５】
この除菌モード中、表示部３が閉じ位置にあるか否かを継続して判断する（Ｓ５）。もしユーザが途中で表示部３を開き位置に回動した場合はバックライト７ａは消灯し通常の電源ＯＦＦ状態になる。次にバックライトボタン９をユーザがオフしたか否かを判断する（Ｓ６）。もしユーザがバックライトボタン９をオフした場合は、バックライト７ａがＯＦＦされ通常の電源ＯＦＦ状態になる。除菌モードが開始されバックライト７ａがオンされると本体２に内蔵されているタイマーにより点灯時間が計測される。あらかじめユーザが設定時間を本体内のメモリに設定しておく。タイマーの計時時間が設定時間になるとリセット信号が出力されるようにしておく。タイマーによる計時時間が設定時間を超えリセット信号が出力されたか否かを判断する（Ｓ７）。リセット信号出されない場合はステップ５（Ｓ５）、ステップ６（Ｓ６）、ステップ７（Ｓ７）のルーチンを繰り返す。
【００１６】
Ｓ７によりリセット信号が出された場合は、バックライト７ａがオフされ除菌モードが終了し通常の電源ＯＦＦ状態になる。
【００１７】
このような除菌モードを設けることで、ユーザは通常の電源ＯＦＦ処理を行い表示部３を閉じ、バックライトボタン９を押すだけで上面５、キーボード４、ポインティングデバイス６の除菌処理が容易に行うことができる。
【００１８】
図４は、ソフトウェアによる除菌処理を示すフローチャートである。バックライトボタン９の代わりに、ユーザがコンピュータ１を通常使用しているとき除菌モード専用のソフトウェアでの除菌処理を選択した場合について説明する。ユーザがソフトウェアにて除菌処理を介し指示すると（Ｓ１１）、ソフトウェアにてコンピュータ本体自身が除菌モードをサポートしているか否か判断する（Ｓ１２）。もし除菌モードサポートしていない場合はソフトウェアを終了あるいはサポートしない旨を通知し終了する。
【００１９】
次にコンピュータ１が除菌モードをサポートしている場合は表示部３が閉じ位置に回動されたか否かを検出する（Ｓ１３）。表示部３が閉じ位置に回動されるまでＳ１３の検出を続ける。表示部３が閉じ位置に回動されると一端コンピュータ１の電源オフ処理が開始される（Ｓ１４）。次に表示部３が所定時間と字位置にあるか否かを検出する（Ｓ１５）。もしコンピュータの電源がＯＦＦされた後すぐに表示部３が開き位置に回動された場合は通常の電源ＯＦＦ状態となり、次に表示部３が閉じられた状態から再度所定時間表示部３が閉じられているか否か検出する。
【００２０】
所定時間表示部３が閉じ位置にあると判断された場合は、バックライト７ａをオンし、除菌モードを開始する（Ｓ１６）。除菌モード中は表示部３が閉じ位置にあるか否かを検出し（Ｓ１７）、表示部３が開き位置に回動された場合はバックライト７ａをＯＦＦし処理を終了する。表示部３が閉じ位置にあるときはバックライト７ａの点灯時間をタイマーで計測し、計測時間がユーザによる設定時間になった場合にはリセット信号を出力する。ここではリセット信号が出力されたか否かを検出する（Ｓ１８）。リセット信号が出力されるとバックライト７ａをＯＦＦし（Ｓ１９）、除菌モードを終了する。
【００２１】
以上のような構成により、ユーザは通常の電源ＯＦＦ後、表示部を閉じバックライト７ａボタンを押すだけで容易に上面５、キーボード４、ポインティングデバイス６の除菌を行うことができる。さらには通常使用時、ソフトウェア上で除菌モードを選択し表示部３を閉じるだけで、手軽に除菌処理を行うことが可能となる。
【００２２】
なお、除菌モード中は除菌モード中であることを知らせるためにＬＥＤ８を点灯あるいは点滅させることでユーザに容易に知らせることができる。
【００２３】
本発明ではその主旨を逸脱しない範囲であれば、上記の実施形態に限定されるものではない。そして、携帯電話、ＰＨＳ、電子手帳，ＰＤＡ等に広く適用できるものである。
【図面の簡単な説明】
【００２４】
【図１】電子機器の斜視図。
【図２】電子機器の表示部を閉じた状態を示す図。
【図３】バックライトボタンによる除菌処理を示すフローチャート。
【図４】ソフトウェアによる除菌処理を示すフローチャート。
【符号の説明】
【００２５】
１…コンピュータ、２…本体、３…表示部、４…キーボード、５…上面、６…ポインティングデバイス、７…液晶表示装置、７ａ…バックライト、８…ＬＥＤ、９…バックライトボタン、１０…電源ボタン
【図１】
2005339292.tif 000003
【図２】
2005339292.tif 000004
【図３】
2005339292.tif 000005
【図４】
2005339292.tif 000006